(57)【要約】【課題】小物入れ部の開口部を片手で簡易に開閉することができ、収納物の出し入れを容易に行うことができるゴルフバッグを提供すること。【解決手段】本発明は、ゴルフクラブを収納するバッグ本体部に設けられた開口部を介して内部に収納物を収納する収納部と、前記開口部を開閉自在に閉止する蓋状部材と、からなる小物入れ部を具備したゴルフバックであって、前記蓋状部材と前記開口部縁部とが磁力で吸着し合うようにした。【選択図】図２
2007190301.tif 000002
【特許請求の範囲】
【請求項１】
ゴルフクラブを収納するバッグ本体部に設けられた開口部を介して内部に収納物を収納する収納部と、前記開口部を開閉自在に閉止する蓋状部材と、からなる小物入れ部を具備したゴルフバックであって、
前記蓋状部材と前記開口部縁部とが磁力で吸着し合うことを特徴とするゴルフバッグ。
【請求項２】
請求項１において、前記開口部縁部と前記蓋状部材の前記開口部縁部に対向する部分のいずれか一方に磁石を設けると共に、他方に磁性体を設けたことを特徴とするゴルフバッグ。
【請求項３】
請求項１において、前記開口部縁部と前記蓋状部材の前記開口部縁部に対向する部分のそれぞれに磁石を設けたことを特徴とするゴルフバッグ。
【請求項４】
請求項１〜３のいずれかにおいて、前記バック本体部側部に把持部を設け、前記小物入れ部は前記バッグ本体部の前記把持部と同じ側部に設けられていることを特徴とするゴルフバッグ。
【請求項５】
請求項１〜４のいずれかにおいて、前記蓋状部材は、下端を軸に上端が回動することにより、前記開口部を覆うものであり、その下方部分が他の部位よりも柔軟に形成されていることを特徴とするゴルフバッグ。
【請求項６】
請求項５において、前記蓋状部材の縁部上端に、該蓋状部材の開閉時に指を掛けるための指掛け部材が設けられていることを特徴とするゴルフバック。
【請求項７】
請求項６において、前記指掛け部材が前記蓋状部材の表裏に両端が止着されるベルト部材を介して取り付けられていることを特徴とするゴルフバッグ。
【発明の詳細な説明】
【技術分野】
【０００１】
この発明はゴルフバッグに係わり、特に、当該バックの外側部に設けられる小物入れ部の開口部を開閉自在に閉止する閉止構造を改良したゴルフバッグに関する。
【背景技術】
【０００２】
一般に、ゴルフバックはゴルフクラブを収納する筒状の本体部の外周面に、ゴルフボールやグローブ、ティー、マーカー等の他、種々の物を収納するための小物入れ部が外方に膨出されて設けられている。そして、この小物入れ部にはその内部に収納物を出し入れするための開口部と、開口部の縁部に亘ってこれを開閉自在に閉止するスライドファスナーが設けられている（例えば、特許文献１参照）。
【特許文献１】実用新案登録  第３００９９６３号公報
【発明の開示】
【発明が解決しようとする課題】
【０００３】
しかしながら、開口部にスライドファスナーが配された従来の小物入れ部にあっては、当該スライドファスナーを片手で開閉操作することが難しかった。つまり、スライドファスナーを片手で簡易に素早く開閉させて収納物の出し入れを行うことが容易ではなかった。このため、ラウンド中に予備のゴルフボールやティー、マーカー等の収納物を取り出す必要が生じた場合に、ゴルフクラブを持ったまま片手で簡易にスライドファスナーを開閉させてそれらの収納物を素早く取り出すことができずに面倒であった。
【０００４】
また、スライドファスナーを用いた構成では、開口部内部から収納物を取り出す際に、スライドファスナーに手が引っかかり傷がついたり、上着の袖が引っかかり損傷する可能性もあった。
【０００５】
さらに、スライドファスナーを開閉する際に、スライダーから引っかかり感が手に伝わってしまうことを否めず、さらにスライド操作音も生じて、静かに滑らかに開閉操作することができず、高級感を醸し出しにくいという課題もあった。
【０００６】
本発明は、上記の課題に鑑みてなされたものであり、その目的は、簡易に素早く収納物の出し入れを行うことができるゴルフバッグを提供することにある。
【課題を解決するための手段】
【０００７】
上記目的を達成するために発明にあっては、ゴルフクラブを収納するバッグ本体部に設けられた開口部を介して内部に収納物を収納する収納部と、前記開口部を開閉自在に閉止する蓋状部材と、からなる小物入れ部を具備したゴルフバックであって、前記蓋状部材と前記開口部縁部とが磁力で吸着し合うことを特徴とする。
【０００８】
ここで、前記開口部縁部と前記蓋状部材の前記開口部縁部に対向する部分のいずれか一方に磁石を設けると共に、他方に磁性体を設けた構成となし得る。
【０００９】
或いは、前記開口部縁部と前記蓋状部材の前記開口部縁部に対向する部分のそれぞれに磁石を設けた構成ともなし得る。
【００１０】
また、前記バック本体部側部に把持部を設け、前記小物入れ部は前記バッグ本体部の前記把持部と同じ側部に設けられている構成となし得る。
【００１１】
また、前記蓋状部材は下端を軸に上端が回動することにより、前記開口部を覆うものであり、その下方部分が他の部位よりも柔軟に形成されている構成となし得る。
【００１２】
また、前記蓋状部材の縁部上端には、該蓋状部材の開閉時に指を掛けるための指掛け部材を設けた構成となすのが好ましい。
【００１３】
さらに、前記指掛け部材は、前記蓋状部材の表裏に両端が止着されるベルト部材を介して取り付ける構成とするのが好ましい。
【発明の効果】
【００１４】
本発明のゴルフバッグによれば、収納部の開口部を開閉自在に閉止する蓋状部材と当該開口部縁部とが相互に磁力で吸着し合って閉止状態を保つようにしたので、蓋状部材を片手で押し引きするだけで簡易に素早く開閉することができ、ゴルフボールやグローブ、ティー、マーカー等の収納物を容易に内部に出し入れすることができるようになる。また、開閉操作時にスライドファスナーの場合のような引っかかり感やスライド操作音を生ずることがないので、静かにかつ滑らかに開閉操作を行うことができ、もって高級感を可及的に向上させることができる。
【発明を実施するための最良の形態】
【００１５】
以下に、本発明に係るゴルフバッグの好適な実施の形態の一例について、添付図面を参照して詳述する。
【００１６】
図１は本実施形態例のゴルフバッグの正面図であり、図２はその側面図、図３は本発明の要部をなす小物入れ部を示す部分斜視図であって、（ａ）は蓋状部材の半開状態を示し、（ｂ）はその全開状態を示している。
【００１７】
図１〜２に示すように、ゴルフバック２はゴルフクラブを収納する筒状のバック本体部４の外側部には、複数の小物入れ部６，８が設けられている。これらの小物入れ部６，８はバック本体４の前面側（図１の手前側）と背面側（図１の奥側）とにそれぞれ設けられて、外方に膨出形成されている。
【００１８】
背面側の小物入れ部８は、バック本体部２の高さ方向のほぼ全長に亘って大きく形成されている。この背面側の小物入れ部８には、その内部に収納物を出し入れする開口部が上端部に１箇所と、左右両側部の対称な位置にそれぞれ１箇所ずつの計３箇所に設けられている。そして、上端部に設けられた開口部８ａは、上端を軸に回動自在であり可撓性を有する蓋状部材９で覆われるようになっている。また、蓋状部材９の周縁と開口部８ａの縁部にはスライドファスナー１０が設けられていて、開口部８ａを開閉自在に閉止するようになっている。
【００１９】
また、側部に設けられる開口部８ｂは上部側開口部８ａの下部から当該小物入れ部８の下端部まで延びて形成されている。そして、開口部８ｂの縁部にも、スライドファスナー１０が取り付けられていて、開閉自在に止着するようになっている。
【００２０】
一方、前面側の小物入れ部６はバック本体部４の高さ方向の全長に対して、その約半分の長さとされて当該バック本体部４の中央部から下方部に亘って形成されている。そして、この前面側小物入れ部６には、その上部と下部との２箇所に開口部６ａ，６ｂが形成されていて、上部側開口部６ａの内側には、その内部を上部小物入れ部と下部小物入れ部とに区画する布製の袋体が垂下されて設けられている。また、開口部６ｂの周縁には、スライドファスナーが設けられていて、開閉自在に止着するようになっている。
【００２１】
また、開口部６ａの近傍には、その下部を基端部として上端が外方に回動、すなわち屈曲して開口部６ａを拡大開放する舌片状を呈した可撓性を有する蓋状部材７が設けられている。言い換えると、蓋状部材７は、上端が上方にある際には、開口部６ａを覆い、上端が下方にある際には、開口部６ａを露出する。
【００２２】
また、開口部６ａの縁部には、これに沿って細い布テープが逆Ｕ字の筒状に縫い付けられた玉縁縫い処理（パイピング縫製処理）が施されていて、縁部の玉縁縫いの内部に断面が５ｍｍ角程度の棒状のラバー磁石１４が適宜の長さに分割されて端から端まで連続的に配されて縫い込まれている。
【００２３】
また、蓋状部材７の縁部にも逆Ｕ字状の玉縁縫い処理がされていて、この玉縁縫い処理の内部にもラバー磁石１２が適宜の長さに分割されて、端から端まで連続的に配されて縫い込まれている。
【００２４】
さらに、開口部６ａの縁部のラバー磁石１４と、蓋状部材７の縁部のラバー磁石１２とは、対向する位置にあり、蓋状部材７で開口部６ａを閉めた状態のときに接触するようになっている。
【００２５】
このように、蓋状部材７と開口部６ａの縁部とが磁力で吸着し合うようになっている。また、蓋状部材７と開口部６ａの縁部との両方とも、逆Ｕ字状の玉縁縫いの端から端、すなわち下端部までラバー磁石１４が配置されているので、蓋状部材７が最大に開いた場合にも磁力で吸着し合う。つまり、蓋状部材７が最大に開くまで磁力が作用するので、滑らかに蓋状部材７が開閉する。
【００２６】
なお、蓋状部材７の縁部の玉縁縫いの内部もしくは、蓋状部材７の縁部のどちらか一方は、磁性体として、磁性金属のワイヤーを縫い込むようにしてもよい。
【００２７】
また、開口部６ａの縁部のラバー磁石１４と、蓋状部材７の縁部のラバー磁石１２とは、分割せず、一連としてもよい。
【００２８】
また、ラバー磁石１２、１４を用いなくても、一般的な磁石を、開口部６ａ、蓋状部材７の玉縁縫い処理端から端まで連続的に配してもよい。つまり、磁力を発生するものであれば、磁石の形態は限定しない。
【００２９】
また、蓋状部材７の縁部にも逆Ｕ字状の玉縁縫い処理がされていて、玉縁縫い処理の内部にもラバー磁石１２が適宜の長さに分割されて、端から端まで連続的に配されて縫い込まれている。
【００３０】
また、蓋状部材７は、その全体的にはポリウレタン素材等を使用して形成するようにしているが、蓋状部材７の下端の基端部には、上記ポリウレタン素材等で形成される他の部位よりもさらに屈折し易くするために、ポリエステル素材７ａが配置されている。すなわち、蓋状部材７の下端部がポリエステル素材７ａにより柔軟性が増す。言い換えると、ポリエステル素材７ａは、蓋状部材７の屈曲誘発部といえる。そして更にこのポリエステル素材７ａには、縁部の両端を結ぶように横方向にステッチ加工７ｂを施しており、このステッチ加工７ｂによって当該部位をより一層折れ曲がり易く形成している。
【００３１】
なお、上記素材は一例を示すものであって、これに限定されるものではなく、蓋状部材７はその基端部を他の部位よりも柔軟に形成すれば良い。
【００３２】
また、蓋状部材７の縁部上端には、当該蓋状部材７の開閉時に指を掛けるための指掛け部材１５が設けられている。ここでは、指掛け部材１５は金属リングで構成されており、この金属リング１５は蓋状部材７の表裏に両端が止着されるベルト部材１６に挿通されて、当該ベルト部材１６介して蓋状部材７の縁部上端に取り付けられている。また、このベルト部材１６は蓋状部材７の表面側に対してはその端部が基端部のポリエステル素材７ａまで延長されて取り付けられている。
【００３３】
なお、バック本体部４の前面側には、ゴルフバッグ２を手で持つ際に把持するための把持部１８が小物入れ部６の上方部に位置されて取り付けられている。また当該把持部１０の下端部直下のバッグ本体部４と当該バッグ本体部４の上端縁の口枠部分４ａとには、ショルダーベルト（図示せず）を着脱自在に係止するための係止リング２０が取り付けられている。
【００３４】
以上のように構成される本実施形態のゴルフバック２にあっては、蓋状部材７の上端の指掛け部に指を掛けて引くだけの簡易な操作で開口部６ａを開放させることができ、また開放状態の蓋状部材７はこれを跳ね上げるだけでの簡易な操作で容易に閉じさせて、磁石１２、１４の磁力によりその開口部６ａの縁部を密着させて止着することができる。このため、開口部６ａを片手で簡易に開閉させて収納物を内部に容易に素早く出し入れすることができる。従って、ラウンド中にしばしば必要となる予備用のゴルフボールやティー、マーカー等の収納用として有用なものとなる。
【００３５】
また、磁石の磁力による吸着力によって開口部６ａを閉止状態に止着しているので、開閉操作時に、従来のスライドファスナーのようなスライド操作音や引っかかり感が生じることがなく、静かにかつ滑らかに開閉することができて、高級感を可及的に向上させて醸し出すことができる。
【００３６】
また、指掛け部１５を両端が蓋状部材７の表裏に止着されるベルト部材１６を介して取り付けることで、開放時の引っ張り力を当該蓋状部材７の表裏から伝えることができ、もって当該引っ張り力を効率よく開放力として伝達することができるばかりか、蓋状部材７の表面側に引っ張り力が集中して加わってしまうことを防止して蓋状部材７の耐久性を高めることができる。
【００３７】
さらに蓋状部材７はその下部の基端部が他の部位よりも柔らかいポリエステル素材７ａを使用してより柔軟に形成して屈曲誘発部となし、さらには当該基端部には当該部位をより屈折し易くするためにステッチ加工７ｂを施しているので、指掛け部１５に指を掛けて開口部６ａを開放させると蓋状部材７は上記屈曲誘発部とされた基端部が他の部位に先行して優先的に屈曲して折れ曲がり、開口部６ａを容易に広く拡大開放させることができる。このため、収納物の出し入れを一層簡易に行えるようになるとともに、内部の視認性も向上して使い勝手を格段に向上させることができるようになる。
【００３８】
また、上述した磁石１２を備えた蓋状部材１２と磁石１４を備えた開口部６ａからなる開閉機構を把持部１８やショルダーベルトが取り付けられたバック本体４の前面側に設けることで、持ち歩いて移動する際に当該小物入れ部を上側に向けておくことができ、収納物の重みで蓋状部材７が開放されてしまうことを防止できる。尚ゴルフバッグ２の運搬中の時等に、小物入れ部６の蓋状部材７の開放を確実に防止できるように、当該蓋状部材７や指掛け部１５に係合して蓋状部材７を閉止状態にロックするロック手段を別途に設けておくようにしても良いのは勿論のことである。
【産業上の利用可能性】
【００３９】
本発明の磁力を用いた開閉機構はゴルフバッグだけでなく、側部に収納部を持つバックならいかなるものに用いることができ、その利用範囲は広い。
【図面の簡単な説明】
【００４０】
【図１】本発明に係るゴルフバッグの一実施例を示す正面図。
【図２】上記ゴルフバッグの側面図。
【図３】（ａ）は小物入れ部の蓋状部材が半開状態の状態を示した図。（ｂ）は小物入れ部の蓋状部材が全開状態を示した図。
【符号の説明】
【００４１】
２    ゴルフバッグ
４    バッグ本体
６    小物入れ部（前面側）
６ａ   開口部
７    蓋状部材
７ａ  ポリエステル素材
７ｂ  ステッチ加工
１２、１４  ラバー磁石
１５  指掛け部
１６  ベルト部材
【図１】
2007190301.tif 000003
【図２】
2007190301.tif 000004
【図３】
2007190301.tif 000005